(57)【要約】【課題】レーザが照射される領域をピンポイントで不活性ガス雰囲気にすることができる。【解決手段】板状の搬送ステージ１１には、吹出孔及び吸引孔がそれぞれ複数形成され、搬送ステージ１１の上面１１ａに隣接して、上面１１ａと略平行に板状部材が設けられている。吹出孔のうちの平面視において板状部材と重なる領域を含む第１領域に存在する吹出孔から不活性ガスを吹き出し、吹出孔のうちの第１領域以外の第２領域に存在する吹出孔から空気を吹き出す。また、板状部材は、平面視においてレーザ光が基板Ｗに照射される領域を含む大きさで形成される。【選択図】  図１
2018085472.tif 000002
【特許請求の範囲】
【請求項１】
基板の表面にレーザ光を照射する光照射部と、
吹出孔及び吸引孔がそれぞれ複数形成された板状の搬送ステージと、
平面視において前記レーザ光が前記基板に照射される領域を含む大きさで形成された板状部材であって、前記搬送ステージの上面との間に前記基板が通過可能な間隔をあけて前記搬送ステージの上面と略平行に設けられた板状部材と、
前記吹出孔のうちの平面視において前記板状部材と重なる領域を含む第１領域に存在する吹出孔から不活性ガスを吹き出し、前記吹出孔のうちの前記第１領域以外の第２領域に存在する吹出孔から空気を吹き出す吹出部と、前記吸引孔を介して前記搬送ステージの上面側にある気体を前記搬送ステージの下面に向けて吸引する吸引部と、を有し、前記搬送ステージの上面から前記基板を浮上させて搬送方向に沿って前記基板を搬送させる搬送部と、
を備えたことを特徴とするレーザアニール装置。
【請求項２】
前記板状部材に隣接して設けられ、不活性ガスを上側から前記搬送ステージに向けて吹き出す第１上部吹出部であって、前記搬送方向における上流側に設けられた第１上部吹出部を備えたことを特徴とする請求項１に記載のレーザアニール装置。
【請求項３】
前記板状部材に隣接して設けられ、不活性ガスを上側から前記搬送ステージに向けて吹き出す第２上部吹出部を備え、
前記板状部材は平面視略矩形形状であり、
前記第２上部吹出部は、前記板状部材の４辺のそれぞれに隣接して設けられる
ことを特徴とする請求項１に記載のレーザアニール装置。
【請求項４】
前記板状部材は、集光レンズが前記搬送方向と略直交する方向に沿って配置されたレンズアレイと、前記レンズアレイの下側に設けられた板状のカバーガラスと、前記レンズアレイの上側に設けられたマスクと、を有するマスクユニットである
ことを特徴とする請求項１から３のいずれか１項に記載のレーザアニール装置。
【発明の詳細な説明】
【技術分野】
【０００１】
本発明は、レーザアニール装置に関する。
【背景技術】
【０００２】
特許文献１には、ガラス基板をガス噴出によって浮上支持して搬送する浮上搬送装置に設けられる雰囲気形成装置であって、大域的な領域における大域雰囲気内に、大域雰囲気と異なる小域的な領域（小域雰囲気）を形成する雰囲気形成装置が開示されている。この雰囲気形成装置において、小域雰囲気では、上方と下方から不活性ガスが噴出され、大域雰囲気では、下方から空気または小域雰囲気における不活性ガスよりも純度が低い同一成分のガスが噴出される。また、小域雰囲気は、ガラス基板の上方、下方、及び両側方を覆うように形成されており、加工エリアは小域雰囲気内に位置している。
【先行技術文献】
【特許文献】
【０００３】
【特許文献１】特開２０１６−１６２８５６号公報
【発明の概要】
【発明が解決しようとする課題】
【０００４】
特許文献１に記載の発明では、小域雰囲気がガラス基板を覆うように形成されているため、小域雰囲気が広範囲となり、小域雰囲気に供給する不活性ガスが大量に必要となってしまう。
【０００５】
本発明はこのような事情に鑑みてなされたもので、レーザが照射される領域をピンポイントで不活性ガス雰囲気にすることができるレーザアニール装置を提供することを目的とする。
【課題を解決するための手段】
【０００６】
上記課題を解決するために、本発明に係るレーザアニール装置は、例えば、基板の表面にレーザ光を照射する光照射部と、吹出孔及び吸引孔がそれぞれ複数形成された板状の搬送ステージと、平面視において前記レーザ光が前記基板に照射される領域を含む大きさで形成された板状部材であって、前記搬送ステージの上面との間に前記基板が通過可能な間隔をあけて前記搬送ステージの上面と略平行に設けられた板状部材と、前記吹出孔のうちの平面視において前記板状部材と重なる領域を含む第１領域に存在する吹出孔から不活性ガスを吹き出し、前記吹出孔のうちの前記第１領域以外の第２領域に存在する吹出孔から空気を吹き出す吹出部と、前記吸引孔を介して前記搬送ステージの上面側にある気体を前記搬送ステージの下面に向けて吸引する吸引部と、を有し、前記搬送ステージの上面から前記基板を浮上させて搬送方向に沿って前記基板を搬送させる搬送部と、を備えたことを特徴とする。
【０００７】
本発明に係るレーザアニール装置によれば、板状の搬送ステージには、吹出孔及び吸引孔がそれぞれ複数形成され、搬送ステージの上面に隣接して、搬送ステージの上面と略平行に板状部材が設けられている。吹出孔のうちの平面視において板状部材と重なる領域を含む第１領域に存在する吹出孔から不活性ガスを吹き出し、吹出孔のうちの第１領域以外の第２領域に存在する吹出孔から空気を吹き出す。これにより、搬送ステージの上面と板状部材との間を不活性ガスで満たす（不活性ガス雰囲気にする）ことができる。また、板状部材は、平面視においてレーザ光が基板に照射される領域を含む大きさで形成される。これにより、レーザが照射される領域をピンポイントで不活性ガス雰囲気にすることができる。
【０００８】
ここで、前記板状部材に隣接して設けられ、不活性ガスを上側から前記搬送ステージに向けて吹き出す第１上部吹出部であって、前記搬送方向における上流側に設けられた第１上部吹出部を備えてもよい。これにより、搬送ステージの上面と板状部材との間に基板が入るときに、搬送ステージの上面と板状部材との間に空気を持ち込まないようにすることができる。
【０００９】
ここで、前記板状部材に隣接して設けられ、不活性ガスを上側から前記搬送ステージに向けて吹き出す第２上部吹出部を備え、前記板状部材は平面視略矩形形状であり、前記第２上部吹出部は、前記板状部材の４辺のそれぞれに隣接して設けられてもよい。第２上部吹出部から吹き出される不活性ガスの流れにより、搬送ステージの上面と板状部材との間に形成される領域の周囲に不活性ガスの幕のようなものを形成する。これにより、搬送ステージの上面と板状部材との間に形成される領域へ空気が侵入しないようにすることができる。
【００１０】
ここで、前記板状部材は、集光レンズが前記搬送方向と略直交する方向に沿って配置されたレンズアレイと、前記レンズアレイの下側に設けられた板状のカバーガラスと、前記レンズアレイの上側に設けられたマスクと、を有するマスクユニットであってもよい。これにより、集光レンズの配列ピッチと同じ配列ピッチで、基板に薄膜トランジスタを形成することができる。
【発明の効果】
【００１１】
本発明によれば、レーザが照射される領域をピンポイントで不活性ガス雰囲気にすることができる。
【図面の簡単な説明】
【００１２】
【図１】第１の実施の形態に係るレーザアニール装置１の概略を示す正面斜視図である。
【図２】搬送ステージ１１Ｂ及び搬送部１２の詳細を示す模式図である。
【図３】レーザアニール装置１のマスクユニット３０近傍を拡大表示した図である。
【図４】ＴＦＴ２５が形成された基板Ｗを例示した図である。
【図５】マスクユニット３０Ａを模式的に示す図である。
【図６】レーザアニール装置１Ａのマスクユニット３０近傍を拡大表示した図である。
【図７】レーザアニール装置１Ｂのマスクユニット３０近傍を拡大表示した図である。
【図８】レーザアニール装置２のマスクユニット３０Ｂ近傍を拡大表示した図である。
【図９】レーザアニール装置３の一部を拡大表示した図である。
【図１０】レーザアニール装置４の一部を拡大表示した図である。
【発明を実施するための形態】
【００１３】
以下、本発明の実施形態を、図面を参照して詳細に説明する。
＜第１の実施の形態＞
図１は第１の実施の形態に係るレーザアニール装置１の概略を示す正面斜視図である。レーザアニール装置１は、マイクロレンズアレイによりレーザ光を集光して基板Ｗに照射し、基板Ｗにおける薄膜トランジスタ（以下、「ＴＦＴ」という）形成領域のアモルファスシリコン膜をポリシリコン化（レーザアニール処理）するものである。
【００１４】
レーザアニール装置１は、主として、搬送機構１０と、レーザ光照射部２０と、マスクユニット３０と、上部ガス吹出部４０と、を備える。
【００１５】
搬送機構１０は、基板Ｗを一定量浮上させて保持すると共に、所定の搬送方向Ｆ（ここではｘ方向）に搬送する。搬送機構１０は、主として、搬送ステージ１１と、搬送ステージ１１の上面から板状体を浮上させて搬送方向Ｆに沿って板状体を搬送させる搬送部１２（図１では図示せず、図２参照）とを備える。
【００１６】
搬送ステージ１１は、略矩形形状の板状の部材であり、多数の微細な空孔を有する直方体状の焼結体により形成される。搬送ステージ１１は、複数の搬送ステージ１１Ａ、１１Ｂ、１１Ｃを有し、搬送ステージ１１Ａ、１１Ｂ、１１Ｃは、搬送方向Ｆに沿って並設される。
【００１７】
図２は、搬送ステージ１１Ｂ及び搬送部１２の詳細を示す模式図である。なお、図２では搬送ステージ１１Ｂを図示するが、搬送ステージ１１Ａ、１１Ｃも同様の構成を有するため、搬送ステージ１１Ａ、１１Ｃについての説明を省略する。
【００１８】
搬送部１２は、主として、搬送ステージ１１Ｂに設けられた正圧溝１３と、正圧溝１３を介して搬送ステージ１１Ｂの下面から上面に向けて空気を吹き出す供給管１４と、搬送ステージ１１Ｂを貫通するように設けられた複数の負圧孔１５と、負圧孔１５を介して搬送ステージ１１Ｂの上面１１ａ近傍の空気を搬送ステージ１１Ｂの下面１１ｂに向けて吸引する排気管１６と、を有する。
【００１９】
正圧溝１３から吹き出された気体と、負圧孔１５から吸引された気体と、により形成される気体流によって、基板Ｗは、搬送ステージ１１Ｂの上面１１ａから浮上し、浮上したまま搬送方向（ｘ方向）に搬送される。
【００２０】
正圧溝１３は、一本の供給管１４に連結される。供給管１４は、一端が正圧溝１３に接続され、他端が送気ブロワ１２１に接続されており、正圧溝１３に気体を供給する。
【００２１】
本実施の形態では、送気ブロワ１２１は、搬送ステージ１１Ｂに形成された供給管１４に不活性ガスを供給する。また、送気ブロワ１２１は、搬送ステージ１１Ａ、１１Ｃに形成された供給管１４に空気（例えば圧縮空気）を供給する。本発明の吹出部は、送気ブロワ１２１を含む。ここで、不活性ガスとは、ヘリウム等の希ガスや、化学反応性の低い窒素等の化学反応を起こしにくい気体であり、本実施の形態では窒素を採用する。
【００２２】
送気ブロワ１２１から供給された不活性ガス又は圧縮空気は、正圧溝１３から搬送ステージ１１の上面１１ａに向けて吹き出される。正圧溝１３から吹き出した不活性ガス又は圧縮空気は、搬送ステージ１１の内部にある多数の微細な空孔を通って搬送ステージ１１全体に広がる。これにより、搬送ステージ１１の略全面から略均等な圧力で空気が噴出される。本発明の吹出孔は、正圧溝１３及び多数の微細な空孔を含む。
【００２３】
負圧孔１５は、搬送ステージ１１の略全面に複数形成される。排気管１６は、一端が負圧孔１５に接続され、他端が吸気ブロワ１２２に接続されている。吸気ブロワ１２２は、負圧孔１５を介して搬送ステージ１１の上面１１ａ側にある気体を下面１１ｂに向けて吸引する。本発明の吸引部は吸気ブロワ１２２を含み、本発明の吸引孔は負圧孔１５を含む。
【００２４】
排気管１６の途中には、バルブ１７が設けられる。バルブ１７は、排気流量を調整すると共に外気を導入可能とするものであり、例えば電気信号に応じて開閉する電磁バルブである。排気管１６の内部には、排気管１６の内部の圧力を検出する圧力センサ１８が設けられる。
【００２５】
バルブ１７及び圧力センサ１８には、圧力調整ユニット１２３が電気的に接続されている。圧力調整ユニット１２３は、バルブ１７を制御して外気の導入量を調整し、負圧孔１５の内部の圧力を所定の圧力に維持するものである。
【００２６】
なお、図２における、正圧溝１３、供給管１４、負圧孔１５、及び排気管１６の数及び位置は例示であり、図示された形態に限定されるものではない。
【００２７】
図１の説明に戻る。搬送ステージ１１の上方（＋ｚ方向）には、レーザ光照射部２０と、マスクユニット３０と、上部ガス吹出部４０と、が設けられる。
【００２８】
レーザ光照射部２０は、主として、レーザ発振器２１と、光学装置２２と、落射ミラー２３と、を有する。
【００２９】
レーザ発振器２１には、例えばパルス発振レーザが用いられる。パルス発振レーザとしては、例えば、波長が２４８ｎｍ又は３０８ｎｍのレーザ光２４を１０００〜６０００Ｈｚの繰り返し周期で放射するエキシマレーザを用いることができる。
【００３０】
レーザ発振器２１から照射されたレーザ光２４は、光学装置２２においてエネルギー分布が均一化され、落射ミラー２３により向きが変えられる。これにより、レーザ光２４が−ｚ方向に照射される。
【００３１】
マスクユニット３０は、平面視が略矩形形状であり、全体として略板状である。マスクユニット３０は、搬送ステージ１１Ｂの上面１１ａ（＋ｚ側）に隣接して設けられる。マスクユニット３０は、図示しないマスク保持部により、搬送ステージ１１Ｂの上面１１ａと平行に保持される。また、マスクユニット３０は、図示しないマスク駆動部により、ｘ方向、ｙ方向、ｚ方向、θ方向にそれぞれ駆動される。
【００３２】
図３は、レーザアニール装置１のマスクユニット３０近傍を拡大表示した図である。図３において、不活性ガスの流れを白抜き矢印で示す。
【００３３】
マスクユニット３０は、主として、マスク３１と、マイクロレンズアレイ３２と、カバーガラス３３と、これらを保持する保持枠３５と、を有する。
【００３４】
マイクロレンズアレイ３２は、レーザ光２４を基板Ｗ上に設定された複数のＴＦＴ形成領域に集光するものであり、集光レンズであるマイクロレンズ３４が複数設けられる。マイクロレンズ３４は、ｘ方向、ｙ方向に沿って二次元配置されており、ｙ方向に隣接するマイクロレンズ３４の間隔はＴＦＴ形成領域の配列ピッチである。ただし、マイクロレンズ３４は、搬送方向と略直交する方向（ｙ方向）に沿って一列に配置されていてもよい。
【００３５】
マスク３１は、マイクロレンズアレイ３２の上側（＋ｚ側）に設けられる。マスク３１は、レーザ光２４がマイクロレンズ３４にのみ照射されるように、レーザ光２４を遮光する。
【００３６】
カバーガラス３３は、薄板状の部材であり、マイクロレンズアレイ３２の下側（−ｚ側）に設けられる。カバーガラス３３は、平面視（＋ｚ方向から見た場合）においてマスク３１及びマイクロレンズアレイ３２と略同一の大きさであり、レーザアニール処理により発生するガスからマイクロレンズアレイ３２を保護する。
【００３７】
カバーガラス３３は、搬送ステージ１１Ｂの上面１１ａに隣接して、搬送ステージ１１Ｂの上面１１ａと略平行に設けられる。カバーガラス３３と搬送ステージ１１Ｂとの間には、基板Ｗが通過可能な間隔が形成される。
【００３８】
平面視において、マスクユニット３０の大きさは、マイクロレンズアレイ３２により集光されたレーザ光２４が基板Ｗに照射される領域を含んでいればよい。ただし、局所領域Ｒをできるだけ小さくするため、マスクユニット３０の平面視における大きさをできるだけ小さくすることが望ましい。
【００３９】
上部ガス吹出部４０は、不活性ガスを上側から搬送ステージ１１Ｂに向けて下向きに（−ｚ方向に）吹き出すものであり、マスクユニット３０に隣接して設けられる。上部ガス吹出部４０は、マスクユニット３０の搬送方向Ｆにおける上流側、すなわち−ｘ側に設けられる。上部ガス吹出部４０は、管状の部材であり、長手方向が搬送方向Ｆと略直交する方向（ｙ方向）に沿うように設けられる。
【００４０】
上部ガス吹出部４０の下端部（−ｚ側の端）には、ｙ方向に沿って複数の孔４０ａが形成される。上部ガス吹出部４０の一端は送気ブロワ（図示省略）に接続されており、複数の孔４０ａからは不活性ガスが下向き（−ｚ向き）に吹き出される。孔４０ａから吹き出される不活性ガスの流速は、搬送ステージ１１Ｂから吹き出される不活性ガスの流速より大きい。
【００４１】
なお、上部ガス吹出部４０の形態は、図１、３等に示す形態に限られない。例えば、上部ガス吹出部として、マスクユニット３０の−ｘ側に隣接して１個又は複数のノズルを設けてもよい。
【００４２】
レーザアニール装置１は、レーザ光照射部２０等を制御する制御部（図示せず）を有するが、公知の様々な技術を用いることができるため、説明を省略する。
【００４３】
次に、このように構成されたレーザアニール装置１の動作について説明する。
まず、ロボット等により基板Ｗが搬送ステージ１１Ａの上に載置される（図１点線参照）。制御部により搬送部１２が制御されることで、搬送部１２は、基板Ｗを搬送ステージ１１Ａから浮上させ、かつ搬送方向Ｆに沿って搬送する。
【００４４】
正圧溝１３から吹き出された空気と負圧孔１５からは吸引された空気とによって、基板Ｗは、搬送ステージ１１Ａから浮上する。基板Ｗの移動に伴い、基板Ｗが正圧溝１３及び負圧孔１５を次第に覆っていく。圧力センサ１８は、基板Ｗの移動中、負圧孔１５内部の圧力の低下を検出して圧力調整ユニット１２３に出力する。圧力調整ユニット１２３は、圧力センサ１８での検出値と外気圧とを比較して差圧を求め、これに基づいてバルブ１７を開閉する。これにより、負圧孔１５内部と外気との差圧が一定に保たれ、搬送ステージ１１Ａからの基板Ｗの高さが均一又は略均一に保たれる。なお、搬送ステージ１１Ａの上面１１ａと基板Ｗとの距離は、略５０μｍである。基板Ｗを搬送する方法は既に公知であるため、説明を省略する。
【００４５】
基板Ｗが搬送方向Ｆに沿って搬送されると、基板Ｗは、搬送ステージ１１Ａの上から搬送ステージ１１Ｂの上へと搬送されていく。この間、搬送ステージ１１Ｂから不活性ガスが噴出されているため、搬送ステージ１１Ｂとカバーガラス３３との間の空間は、不活性ガスで満たされている。搬送ステージ１１Ｂとカバーガラス３３との隙間は略１ｍｍ程度と狭いため、搬送ステージ１１Ｂから吹出される不活性ガスによりこの狭い空間（以下、局所領域Ｒという、図３参照）を不活性ガスで満たす（不活性ガス雰囲気にする）ことができる。
【００４６】
その後、基板Ｗは、上部ガス吹出部４０の下を通過し、基板Ｗがマスクユニット３０の下、すなわち搬送ステージ１１Ｂとカバーガラス３３との間を通過する。基板Ｗがマスクユニット３０の下を通過するとき、制御部はレーザ光照射部２０を制御して、レーザ発振器２１からレーザ光２４を出射させる。
【００４７】
これにより、レーザ光２４が、マスクユニット３０を介して基板Ｗに照射される。すると、マイクロレンズ３４によりレーザ光２４が照射された位置において、基板Ｗのアモルファスシリコンが局所的にポリシリコンに変えられる（レーザアニール処理）。このレーザアニール処理を不活性ガス雰囲気で行うことで、結晶化において発生する不具合を限りなく小さくすることができる。
【００４８】
ただし、基板Ｗの搬送時に、基板Ｗの上に存在する空気が基板Ｗと一緒に局所領域Ｒに入る虞がある。そこで、搬送方向Ｆにおける上流側に設けられた上部ガス吹出部４０から搬送ステージ１１Ｂの上面１１ａに向けて不活性ガスを噴出しておくことで、基板Ｗが上部ガス吹出部４０の下を通過して局所領域Ｒに入るときに、空気を局所領域Ｒに持ち込まないようにしておく。
【００４９】
基板Ｗは、さらに、マスクユニット３０を介してレーザ光２４が照射されながら、搬送方向Ｆに沿って搬送される。これにより、図４に示すように、マイクロレンズアレイ３２におけるマイクロレンズ３４の配列ピッチと同じ配列ピッチ（横がｗ、縦がｌ）で、基板ＷにＴＦＴ２５が形成される。
【００５０】
その後、基板Ｗが搬送ステージ１１Ｃの上へと移動したら、ロボット等により基板Ｗが搬送ステージ１１Ｃの上から除去される。これにより、基板Ｗへの処理が終了される。
【００５１】
本実施の形態によれば、レーザが照射される領域をピンポイントで不活性ガス雰囲気にすることができる。また、不活性ガス雰囲気にする局所領域Ｒは、レーザが照射される領域を含む狭い領域であるため、少量の不活性ガスで局所領域Ｒを不活性ガス雰囲気にすることができる。
【００５２】
なお、本実施の形態では、搬送ステージ１１Ｂに形成された吹出孔（正圧溝１３及び多数の微細な空孔）から上向きに不活性ガスを吹き出すとともに、上部ガス吹出部４０から下向きに不活性ガスを吹き出させたが、上部ガス吹出部４０は必須ではない。
【００５３】
また、本実施の形態では、搬送ステージ１１Ｂから不活性ガスを吹き出した（搬送ステージ１１Ｂが本発明の第１領域に相当）が、必ずしも搬送ステージ１１Ｂ全体から不活性ガスを吹き出す必要はない。不活性ガスを吹き出す領域は、平面視においてマスクユニット３０と重なる領域を含んでいればよい。例えば、搬送ステージ１１Ｂのうちの平面視においてマスクユニット３０と重なる領域に存在する吹出孔から不活性ガスを吹き出し、搬送ステージ１１Ｂのうちの平面視においてマスクユニット３０と重ならない領域に存在する吹出孔から圧縮空気を吹き出すようにしてもよい。
【００５４】
また、本実施の形態では、マイクロレンズアレイ３２にマイクロレンズ３４が設けられたが、マイクロレンズアレイ３２に他のレンズが設けられてもよい。図５は、マイクロレンズ３４及びシリンドリカルレンズ３６が設けられたマイクロレンズアレイ３２Ａを有するマスクユニット３０Ａを模式的に示す図である。
【００５５】
マイクロレンズアレイ３２Ａには、２次元配置されたマイクロレンズ３４と、長手方向がｘ方向に沿ったシリンドリカルレンズ３６と、が設けられる。マイクロレンズアレイ３２Ａは、図示しない駆動部によりｘ方向に沿って移動可能である。レーザ光２４は、マイクロレンズ３４又はシリンドリカルレンズ３６により集光され、基板Ｗに照射される。これにより、必要に応じてマイクロレンズ３４とシリンドリカルレンズ３６とを使い分けることができる。
【００５６】
＜第１の実施の形態の変形例１＞
第１の実施の形態は、不活性ガスが上部ガス吹出部４０から下向きに（−ｚ方向に）吹き出すものであるが、第１の実施の形態の変形例１は、上部ガス吹出部から斜め下向き（搬送方向Ｆにおける上流側）に不活性ガスが吹き出す形態である。以下、第１の実施の形態の変形例１に係るレーザアニール装置１Ａについて説明する。なお、第１の実施の形態に係るレーザアニール装置１と同一の部分については、同一の符号を付し、説明を省略する。
【００５７】
図６は、レーザアニール装置１Ａのマスクユニット３０近傍を拡大表示した図である。マスクユニット３０に隣接して、上部ガス吹出部４１が設けられる。
【００５８】
上部ガス吹出部４１は、上部ガス吹出部４０と同様、管状の部材であり、マスクユニット３０の搬送方向Ｆにおける上流側に、長手方向が搬送方向Ｆと略直交する方向に沿うように設けられる。
【００５９】
上部ガス吹出部４１の下端部から微小量だけ−ｘ側に寄った位置には、ｙ方向に沿って複数の孔４０ｂが形成されている。上部ガス吹出部４１の一端は送気ブロワ（図示省略）に接続されており、複数の孔４０ｂからは不活性ガスが吹き出される。
【００６０】
上部ガス吹出部４１は、不活性ガスを上側から搬送ステージ１１Ｂに向けて斜め下向き、かつ搬送方向Ｆにおける下流側から上流側に向けて吹き出す。これにより、基板Ｗが上部ガス吹出部４１の下を通過するときに、空気を局所領域Ｒに持ち込まないようにすることができる。
【００６１】
＜第１の実施の形態の変形例２＞
第１の実施の形態は、不活性ガスが上部ガス吹出部４０から下向きに（−ｚ方向に）吹き出すものであるが、第１の実施の形態の変形例２は、上部ガス吹出部から斜め下向き（搬送方向Ｆにおける下流側）に不活性ガスが吹き出す形態である。以下、第１の実施の形態の変形例２に係るレーザアニール装置１Ｂについて説明する。なお、第１の実施の形態に係るレーザアニール装置１と同一の部分については、同一の符号を付し、説明を省略する。
【００６２】
図７は、レーザアニール装置１Ｂのマスクユニット３０近傍を拡大表示した図である。マスクユニット３０に隣接して、上部ガス吹出部４２が設けられる。
【００６３】
上部ガス吹出部４２は、上部ガス吹出部４０と同様、管状の部材であり、マスクユニット３０の搬送方向Ｆにおける上流側に、長手方向が搬送方向Ｆと略直交する方向に沿うように設けられる。
【００６４】
上部ガス吹出部４２の下端部から微小量だけ＋ｘ側（搬送方向Ｆにおける下流側）に寄った位置には、ｙ方向に沿って複数の孔４０ｃが形成されている。上部ガス吹出部４２の一端は送気ブロワ（図示省略）に接続されており、複数の孔４０ｃからは不活性ガスが吹き出される。
【００６５】
上部ガス吹出部４２は、不活性ガスを上側から搬送ステージ１１Ｂに向けて斜め下向き、かつ搬送方向Ｆにおける上流側から下流側に向けて吹き出す。これにより、基板Ｗが上部ガス吹出部４１の下を通過するときに、空気を局所領域Ｒに持ち込まないようにすることができる。
【００６６】
＜第２の実施の形態＞
第１の実施の形態は、マスクユニット３０に隣接して上部ガス吹出部４０を設けたが、上部ガス吹出部の形態はこれに限られない。
【００６７】
第２の実施の形態は、マスク自体に上部ガス吹出部を設ける形態である。以下、第２の実施の形態に係るレーザアニール装置２について説明する。なお、第１の実施の形態に係るレーザアニール装置１と同一の部分については、同一の符号を付し、説明を省略する。
【００６８】
図８は、レーザアニール装置２のマスクユニット３０Ｂ近傍を拡大表示した図である。マスクユニット３０Ｂは、主として、マスク３１と、マイクロレンズアレイ３２と、カバーガラス３３Ａと、保持枠３５Ａと、を有する。
【００６９】
保持枠３５Ａには、開口部３５ａが形成されており、開口部３５ａにはパイプ３７が接続される。パイプ３７の一端は送気ブロワ（図示省略）に接続されており、開口部３５ａからはマイクロレンズアレイ３２とカバーガラス３３Ａとの間の空間に向けて不活性ガスが吹き出される。なお、図８においては、開口部３５ａが保持枠３５Ａの−ｘ側の面に形成されるが、開口部３５ａの位置はこれに限られない。
【００７０】
カバーガラス３３Ａには、複数の孔３３ａが形成される。孔３３ａは、カバーガラス３３Ａの−ｘ側の端（搬送方向Ｆにおける上流側の端）近傍に、搬送方向Ｆと略直交する方向（ｙ方向）に沿って設けられる。したがって、複数の孔３３ａからは、不活性ガスが下向きに吹き出される。これにより、基板Ｗがマスクユニット３０Ａの下に移動してくるときに、空気を局所領域Ｒに持ち込まないようにすることができる。
【００７１】
ただし、複数の孔３３ａは、局所領域Ｒに空気が持ち込まれにくいように、カバーガラス３３Ａの−ｘ側の端にできるだけ近い位置に設けることが望ましい。
【００７２】
＜第３の実施の形態＞
第１の実施の形態は、上部ガス吹出部４０がマスクユニット３０の搬送方向Ｆにおける上流側に設けられたが、上部ガス吹出部の配置形態はこれに限られない。
【００７３】
第３の実施の形態は、マスクユニット３０の４辺全てに隣接して上部ガス吹出部を設ける形態である。以下、第３の実施の形態に係るレーザアニール装置３について説明する。なお、第１の実施の形態に係るレーザアニール装置１と同一の部分については、同一の符号を付し、説明を省略する。
【００７４】
図９は、レーザアニール装置３の一部を拡大表示した図である。マスクユニット３０に隣接して上部ガス吹出部４０、４３、４４、４５が設けられる。
【００７５】
上部ガス吹出部４０、４３、４４、４５は、不活性ガスを上側から搬送ステージ１１Ｂに向けて下向きに（−ｚ方向に）吹き出すものである。上部ガス吹出部４０、４３、４４、４５は、管状の部材であり、それぞれマスクユニット３０の辺に隣接して設けられる。
【００７６】
上部ガス吹出部４０、４３、４４、４５は、長手方向が隣接するマスクユニット３０の辺に沿うよう設けられる。上部ガス吹出部４３は、マスクユニット３０の搬送方向Ｆにおける下流側、すなわち＋ｘ側に、長手方向が搬送方向Ｆと略直交する方向（ｙ方向）に沿うように設けられる。上部ガス吹出部４４、４５は、マスクユニット３０の−ｙ側及び＋ｙ側に、長手方向が搬送方向Ｆ（ｘ方向）に沿うように設けられる。
【００７７】
上部ガス吹出部４０、４３、４４、４５の下端部（−ｚ側の端）には、ｙ方向に沿って複数の孔４０ａが形成されている。上部ガス吹出部４０、４３、４４、４５の一端は送気ブロワ（図示省略）に接続されており、複数の孔４０ａからは不活性ガスが下向き（−ｚ向き）に吹き出される。
【００７８】
なお、孔４０ａから吹き出される不活性ガスの流速は、搬送ステージ１１Ｂから吹き出される不活性ガスの流速より大きい。したがって、上部ガス吹出部４０、４３、４４、４４から吹き出される不活性ガスにより局所領域Ｒ（図示省略）が覆われる。
【００７９】
したがって、搬送ステージ１１Ｂから吹き出される不活性ガスにより局所領域Ｒを不活性ガス雰囲気とすることができる。また、上部ガス吹出部４０、４３、４４、４４から吹き出される不活性ガスの流れにより、局所領域Ｒの周囲に不活性ガスの幕のようなものを形成するため、局所領域Ｒへ空気が侵入しないようにすることができる。
【００８０】
＜第４の実施の形態＞
第１の実施の形態は、上部ガス吹出部４０をマスクユニット３０に隣接して設けたが、マスクユニット３０は必須ではない。
【００８１】
第４の実施の形態は、マスクユニット３０を用いない形態である。以下、第４の実施の形態に係るレーザアニール装置４について説明する。なお、第１の実施の形態に係るレーザアニール装置１と同一の部分については、同一の符号を付し、説明を省略する。
【００８２】
図１０は、レーザアニール装置４の一部を拡大表示した図である。レーザアニール装置４は、主として、搬送機構１０（搬送部１２は図示省略）と、レーザ光照射部２０Ａと、上部ガス吹出部４６と、シリンドリカルレンズ組立体５０と、を備える。
【００８３】
レーザ光照射部２０Ａは、主として、レーザ発振器２１Ａと、光学装置２２と、落射ミラー２３と、を有する。レーザ発振器２１Ａは、帯状のレーザ光２４Ａを照射する。
【００８４】
シリンドリカルレンズ組立体５０は、シリンドリカルレンズ５１と、カバーガラス５２と、これらを保持する保持部材５３と、を有する。
【００８５】
シリンドリカルレンズ５１は、球面収差を抑えるために３枚のレンズで構成されるトリプレットシリンドリカルレンズであり、レーザ光を線状に集光させる。なお、シリンドリカルレンズ５１に１枚構成のシングレットシリンドリカルレンズを用いてもよい。
【００８６】
カバーガラス５２は、カバーガラス３３と同様、薄板状の部材であり、搬送ステージ１１Ｂの上面１１ａに隣接して設けられる。カバーガラス５２の平面視における大きさは、シリンドリカルレンズ５１により線状に集光されたレーザ光２４Ａが基板Ｗに照射される領域を含んでいればよい。ただし、局所領域Ｒをできるだけ小さくするため、カバーガラス５２の平面視における大きさをできるだけ小さくすることが望ましい。
【００８７】
基板Ｗは、搬送ステージ１１Ｂの上面１１ａと、カバーガラス５２との間を通過する。搬送ステージ１１Ｂとカバーガラス５２との隙間は略１ｍｍ程度である。
【００８８】
搬送ステージ１１Ｂからは不活性ガスが噴出されているため、搬送ステージ１１Ｂとカバーガラス５２との間の空間（局所領域Ｒ）は、不活性ガスで満たされる。搬送ステージ１１Ｂとカバーガラス５２との隙間は略１ｍｍ程度と狭いため、搬送ステージ１１Ｂから吹出される不活性ガスにより局所領域Ｒを不活性ガス雰囲気にすることができる。
【００８９】
上部ガス吹出部４６は、不活性ガスを上側から搬送ステージ１１Ｂに向けて下向きに（−ｚ方向に）吹き出すものであり、カバーガラス５２に隣接して設けられる。上部ガス吹出部４６は、カバーガラス５２の搬送方向Ｆにおける上流側、すなわち−ｘ側に設けられる。上部ガス吹出部４６は、管状の部材であり、長手方向が搬送方向Ｆと略直交する方向（ｙ方向）に沿うように設けられる。
【００９０】
上部ガス吹出部４６の下端部（−ｚ側の端）には、ｙ方向に沿って複数の孔４０ａ（図示省略）が形成されている。上部ガス吹出部４６の一端は送気ブロワ（図示省略）に接続されており、複数の孔４０ａからは不活性ガスが下向き（−ｚ向き）に吹き出される。孔４０ａから吹き出される不活性ガスの流速は、搬送ステージ１１Ｂから吹き出される不活性ガスの流速より大きい。
【００９１】
レーザアニール装置４の動作について説明する。基板Ｗは、搬送ステージ１１の上面から浮上された状態で、搬送方向Ｆに沿って搬送ステージ１１Ａの上から搬送ステージ１１Ｂの上へと搬送されていく。この間、搬送ステージ１１Ｂからは不活性ガスが噴出されているため、搬送ステージ１１Ｂとカバーガラス５２との間の局所領域Ｒは不活性ガスで満たされている。
【００９２】
基板Ｗは、上部ガス吹出部４６の下を通過し、搬送ステージ１１Ｂとカバーガラス５２との間に挿入される。このときに基板Ｗと一緒に空気が局所領域Ｒに持ち込まれないように、上部ガス吹出部４６から搬送ステージ１１Ｂの上面１１ａに向けて不活性ガスが噴出される。
【００９３】
その後、カバーガラス５２の下を通過するときに、レーザ光２４が基板Ｗに照射される。これにより、不活性ガス雰囲気において、基板Ｗの帯状の領域に対してレーザアニール処理が行われる。
【００９４】
本実施の形態によれば、マスクを用いない場合においても、板状部材を搬送ステージ１１Ｂの上面に隣接して設けることで、レーザが照射される領域をピンポイントで不活性ガス雰囲気にすることができる。
【００９５】
以上、この発明の実施形態を、図面を参照して詳述してきたが、具体的な構成はこの実施形態に限られるものではなく、この発明の要旨を逸脱しない範囲の設計変更等も含まれる。
【００９６】
また、本発明において、「略」とは、厳密に同一である場合のみでなく、同一性を失わない程度の誤差や変形を含む概念である。例えば、略平行、略直交とは、厳密に平行、直交の場合には限られない。また、例えば、単に平行、直交等と表現する場合においても、厳密に平行、直交等の場合のみでなく、略平行、略直交等の場合を含むものとする。また、本発明において「近傍」とは、例えばＡの近傍であるときに、Ａの近くであって、Ａを含んでも含まなくてもよいことを示す概念である。
【符号の説明】
【００９７】
１、１Ａ、１Ｂ、２、３、４              ：レーザアニール装置
１０                                    ：搬送機構
１１、１１Ａ、１１Ｂ、１１Ｃ            ：搬送ステージ
１１ａ                                  ：上面
１１ｂ                                  ：下面
１２                                    ：搬送部
１３                                    ：正圧溝
１４                                    ：供給管
１５                                    ：負圧孔
１６                                    ：排気管
１７                                    ：バルブ
１８                                    ：圧力センサ
２０、２０Ａ                            ：レーザ光照射部
２１、２１Ａ                            ：レーザ発振器
２２                                    ：光学装置
２３                                    ：落射ミラー
２４、２４Ａ                            ：レーザ光
２５                                    ：ＴＦＴ
３０、３０Ａ、３０Ｂ                      ：マスクユニット
３１                                    ：マスク
３２、３２Ａ                            ：マイクロレンズアレイ
３３、３３Ａ                            ：カバーガラス
３３ａ                                  ：孔
３４                                    ：マイクロレンズ
３５、３５Ａ                            ：保持枠
３５ａ                                  ：開口部
３６                                    ：シリンドリカルレンズ
３７                                    ：パイプ
４０、４１、４２、４３、４４、４５、４６：上部ガス吹出部
４０ａ、４０ｂ、４０ｃ                  ：孔
５０                                    ：シリンドリカルレンズ組立体
５１                                    ：シリンドリカルレンズ
５２                                    ：カバーガラス
５３                                    ：保持部材
１２１                                  ：送気ブロワ
１２２                                  ：吸気ブロワ
１２３                                  ：圧力調整ユニット
【図１】
2018085472.tif 000003
【図２】
2018085472.tif 000004
【図３】
2018085472.tif 000005
【図４】
2018085472.tif 000006
【図５】
2018085472.tif 000007
【図６】
2018085472.tif 000008
【図７】
2018085472.tif 000009
【図８】
2018085472.tif 000010
【図９】
2018085472.tif 000011
【図１０】
2018085472.tif 000012